(57)【要約】【課題】金型費用に起因する製造コストを上昇させることなく、ケース内に配設される板ばねを保持すること。【解決手段】ケース２と、ケース２に対して回転可能で外周に凹凸部４０４を有する操作部材４と、操作部材４の回転に伴って凹凸部４０４と係脱する係合部１００１及びこの係合部１００１の両側に設けられた一対の腕部１００２ａ、１００２ｂを有する板ばね１０と、操作部材４の回転動作を検出する回転検出手段とを具備し、ケース２は、板ばね１０の一面側及び他面側における互いに対向しない位置に設けられた第１の支持部と第２の支持部との間に腕部１００２ａ、１００２ｂを保持することを特徴とする。【選択図】図１
2010153503.tif 000002
【特許請求の範囲】
【請求項１】
ケースと、このケースに対して回転可能で外周に凹凸部を有する回転体と、この回転体の回転に伴って前記凹凸部と係脱する係合部及びこの係合部の両側に設けられた一対の腕部を有する板ばねと、前記回転体の回転動作を検出する回転検出手段とを具備し、前記ケースは、前記板ばねの一面側及び他面側における互いに対向しない位置に設けられた第１の支持部と第２の支持部との間に前記腕部を保持することを特徴とする回転型電気部品。
【請求項２】
前記第１の支持部を前記板ばねの前記回転体の凹凸部と対向する一面側に配置すると共に前記腕部の内側の位置に対応して設ける一方、前記板ばねの他面側に配置された前記第２の支持部を前記腕部の外側の位置に対応して設けたことを特徴とする請求項１記載の回転型電気部品。
【請求項３】
前記腕部の先端に前記回転体側に向かって折り曲げられた折り曲げ部を設ける一方、前記ケースに前記折り曲げ部を収納可能な収納凹部を設けたことを特徴とする請求項２記載の回転型電気部品。
【請求項４】
前記凹凸部の凸部と前記係合部が係合する際に、前記収納凹部の内壁に前記折り曲げ部の先端を当接させることを特徴とする請求項３記載の回転型電気部品。
【請求項５】
前記板ばねは、先端部を二股に分岐させた金属板で形成され、一方側に前記折り曲げ部が形成される一方、他方側に製造過程で当該板ばねと一体的に形成される連結部材と連結されると共に当該連結部材からの切断部を有する連結部が形成され、前記一方側を前記収納凹部の底面側に配置した状態で前記ケースに収納されることを特徴とする請求項３又は請求項４記載の回転型電気部品。
【請求項６】
前記回転体の回転軸線と交差する方向への押圧操作に応じた前記回転体の押圧動作を検出する押圧検出手段を具備し、一対の前記板ばねを前記回転体の押圧動作方向に沿って配置させたことを特徴とする請求項１から請求項５のいずれかに記載の回転型電気部品。
【発明の詳細な説明】
【技術分野】
【０００１】
本発明は、回転型電気部品に関し、特に、電子機器等の各種制御に用いられる回転型電気部品に関する。
【背景技術】
【０００２】
従来、円板状ロータとケース本体との間に節度ボール、節度溝及び節度機構を設けると共に、円板状ロータに板ばね片が係脱する複数の位置決め溝を凹設し、節度ボールと節度溝が係合する円板状ロータの各回転位置で板ばね片を位置決め溝に係合させて円板状ロータを位置決めする回転型電気部品が提案されている（例えば、特許文献１参照）。この回転型電気部品においては、ケース本体の側方に一対の板ばねを収容するばね収納部が形成されており、これらの一対の板ばねで円板状ロータの円周面に当接するように節度ボールを付勢している。
【特許文献１】特開２００１−３５３０９号公報
【発明の開示】
【発明が解決しようとする課題】
【０００３】
しかしながら、上述したような従来の回転型電気部品において、板ばねを収納するばね収納部は、板ばねの端部近傍を対向する壁面部で保持する構成を採ることから、当該ばね収納部を有するケース本体の製造に用いられる金型に極めて厳格な精度が要求される結果、金型製作に要する費用の上昇を招き、回転型電気部品自体の製造に要するコストが上昇してしまうという問題がある。特に、このような問題は、回転型電気部品自体の小型化に伴って板ばねの板厚を極めて薄くしなければならない場合により顕著となる。
【０００４】
本発明はこのような問題点に鑑みてなされたものであり、金型費用に起因する製造コストを上昇させることなく、ケース内に配設される板ばねを保持することができる回転型電気部品を提供することを目的とする。
【課題を解決するための手段】
【０００５】
本発明の回転型電気部品は、ケースと、このケースに対して回転可能で外周に凹凸部を有する回転体と、この回転体の回転に伴って前記凹凸部と係脱する係合部及びこの係合部の両側に設けられた一対の腕部を有する板ばねと、前記回転体の回転動作を検出する回転検出手段とを具備し、前記ケースは、前記板ばねの一面側及び他面側における互いに対向しない位置に設けられた第１の支持部と第２の支持部との間に前記腕部を保持することを特徴とする。
【０００６】
上記回転型電気部品によれば、板ばねの腕部が、ケースの互いに対向しない位置に設けられた第１の支持部と第２の支持部との間に保持されることから、板ばねの板厚に応じて対向する壁面部を有するばね収納部をケースに形成する必要がないので、極めて厳格な精度で金型を製作する必要がなく、金型製作に要する費用の上昇を抑制することができる。これにより、金型費用に起因する製造コストを上昇させることなく、ケース内に配設される板ばねを保持することが可能となる。
【０００７】
上記回転型電気部品においては、前記第１の支持部を前記板ばねの前記回転体の凹凸部と対向する一面側に配置すると共に前記腕部の内側の位置に対応して設ける一方、前記板ばねの他面側に配置された前記第２の支持部を前記腕部の外側の位置に対応して設けることが好ましい。この場合には、回転体と対向する一面側に配置された第１の支持部により腕部の内側の位置が支持される一方、他面側に配置された第２の支持部により腕部の外側の位置が支持されることから、回転体の凹凸部と係脱する係合部の動作を妨げることなく板ばねを保持することができるので、回転体の回転動作に伴って良好なクリック感触を付与することが可能となる。
【０００８】
また、上記回転型電気部品においては、前記腕部の先端に前記回転体側に向かって折り曲げられた折り曲げ部を設ける一方、前記ケースに前記折り曲げ部を収納可能な収納凹部を設けることが好ましい。この場合には、腕部の先端に設けた折り曲げ部により、ケースに対して組み付ける際に板ばねを倒れにくくすることができるので、組立時における作業効率を向上することが可能となる。
【０００９】
特に、上記回転型電気部品においては、前記凹凸部の凸部と前記係合部が係合する際に、前記収納凹部の内壁に前記折り曲げ部の先端を当接させることが好ましい。この場合には、係合部が凹凸部の凸部と係合して板ばねが変形する場合においても、折り曲げ部の先端が収納凹部の内壁に当接して板ばねの振動を抑制することができるので、板ばねの振動に起因する音の発生を低減することが可能となる。
【００１０】
さらに、上記回転型電気部品において、前記板ばねは、先端部を二股に分岐させた金属板で形成され、一方側に前記折り曲げ部が形成される一方、他方側に製造過程で当該板ばねと一体的に形成される連結部材と連結されると共に当該連結部材からの切断部を有する連結部が形成され、前記一方側を前記収納凹部の底面側に配置した状態で前記ケースに収納されることが好ましい。この場合には、連結部材と連結された状態で板ばねをケースに収納することができると共に、ケースに収納した後に板ばねから連結部材を分離することができるので、ケースに板ばねを組み付ける際の作業効率を向上することが可能となる。
【００１１】
さらに、上記回転型電気部品においては、前記回転体の回転軸線と交差する方向への押圧操作に応じた前記回転体の押圧動作を検出する押圧検出手段を具備し、一対の前記板ばねを前記回転体の押圧動作方向に沿って配置させることが好ましい。この場合には、回転体の凹凸部との係脱によりクリック感触を付与する板ばねが一対配置されているので、安定したクリック感触を付与することが可能となる。また、これらの一対の板ばねが回転体の押圧動作方向に沿って配置されることから、回転体の押圧動作時におけるバランスを確保することが可能となる。
【発明の効果】
【００１２】
本発明によれば、板ばねの腕部が、ケースの互いに対向しない位置に設けられた第１の支持部と第２の支持部との間に保持されることから、板ばねの板厚に応じて対向する壁面部を有するばね収納部をケースに形成する必要がないので、極めて厳格な精度で金型を製作する必要がなく、金型製作に要する費用の上昇を抑制することができる。これにより、金型費用に起因する製造コストを上昇させることなく、ケース内に配設される板ばねを保持することが可能となる。
【発明を実施するための最良の形態】
【００１３】
以下、本発明の実施の形態について添付図面を参照して詳細に説明する。図１は、本発明の一実施の形態に係る回転型電気部品１の分解斜視図である。図２は、本実施の形態に係る回転型電気部品１の外観を示す斜視図であり、図３は、図２に示す一点鎖線における断面図である。図４は、本実施の形態に係る回転型電気部品１の一部の構成部品を下方側から示す分解斜視図である。図５は、本実施の形態に係る回転型電気部品１に操作つまみ１００が取り付けられた状態の外観を示す斜視図である。なお、以下においては、適宜、図１に示す左下方側を「回転型電気部品の前方側」又は単に「前方側」と呼び、同図に示す右上方側を「回転型電気部品の後方側」又は単に「後方側」と呼ぶものとする。
【００１４】
図１に示すように、本実施の形態に係る回転型電気部品１は、概して、上方に開口すると共に、底面部に導電パターン２２０及び固定接点２３０が設けられた内部空間を有するケース２と、このケース２の開口を覆うように被せられるカバー３と、このカバー３から一部を露出した状態でケース２の内部空間に収納される操作部材４と、この操作部材４の下方側に配置される継手部材５、回転部材６及び摺動部材７と、操作部材４の前方側に配置される回転押圧部材８及び可動接点板９と、操作部材４の側方側に配置される一対の板ばね１０とを備え、回転操作及び押圧操作を受け付け可能に構成されている。
【００１５】
ケース２は、例えば、絶縁性の樹脂材料で成形され、平面視して矩形状をなした概して扁平な箱形状を有している。ケース２の内部空間には、第１収納部２０１と、この第１収納部２０１の前方側に配置される第２収納部２０２とが設けられている。上述した導電パターン２２０は、第１収納部２０１の底面部にその一部を露出するように埋設されており、固定接点２３０は、第２収納部２０２の底面部にその一部を露出するように埋設されている。なお、このケース２の詳細な構成については後述する。
【００１６】
回転部材６は、例えば、絶縁性の樹脂材料で成形され、概して円盤形状を有している。この回転部材６は、その上面に継手部材５を収容する凹部６０１が設けられると共に、その下面に摺動部材７が固定される複数の突起６０２が設けられている。なお、凹部６０１は、継手部材５を回転部材６の回転軸線と直交する一方向にスライド可能に収容すべく一方向に解放された形状を有している。図１においては、凹部６０１が前後方向に解放された位置で止まっている状態を示している。また、回転部材６の中央には、後述する支柱部１１が挿通される貫通孔６０３が形成されている。
【００１７】
継手部材５は、例えば、金属材料で成形され、概して平板形状を有している。継手部材５は、互いに直交するそれぞれ一対の第１対向辺部５０１と、第２対向辺部５０２とを有している。また、継手部材５の中央には、円形状の開口部５０３が形成されている。なお、この開口部５０３の寸法は、後述する支柱部１１のヘッド部１１０２の外周寸法よりも十分に大きく設定されている。
【００１８】
摺動部材７は、例えば、導電性を有する金属製の薄板材料に打ち抜き加工及び折り曲げ加工を施すことにより形成され、概してリング形状を有している。摺動部材７の外周側の所定位置には、ケース２の底面部側に延出する複数の摺動子７０１が設けられている。また、摺動部材７の中央には、後述する支柱部１１が挿通される挿通孔７０２が形成されると共に、その周辺に回転部材６の突起６０２が挿通される複数の孔７０３が形成されている。摺動部材７は、これらの孔７０３に回転部材６の突起６０２を挿通し、この突起６０２の先端をかしめること等により固定されるものとなっている。
【００１９】
回転部材６は、凹部６０１で継手部材５を収容すると共に、突起６０２に摺動部材７が固定された状態で、ケース２の底面部に形成された固定穴に固定される支柱部１１が貫通孔６０３に挿通されることで、ケース２に対して回転可能に取り付けられる。回転部材６を回転可能に軸支するこの支柱部１１は、金属材料で成形され、概して円柱形状を有している。支柱部１１の中央近傍には、回転部材６の貫通孔６０３の径と略同一の径（厳密には貫通孔６０３の径よりも僅かに小さな径）を有する胴体部１１０１と、この胴体部１１０１の上方に連続して設けられ、当該胴体部１１０１よりも大きな径を有するヘッド部１１０２とを有している。なお、回転部材６は、摺動部材７の摺動子７０１の弾性力により持ち上げられる一方、支柱部１１のヘッド部１１０２で上方側への移動を規制された状態で位置決めされている。また、支柱部１１の先端には、図３に示すように、胴体部１１０１よりも細い筒状の取付部１１０３が設けられており、この取付部１１０３がケース２の固定穴に圧入、或いは、かしめられることにより、支柱部１１はケース２の底面部に固定されるものとなっている。
【００２０】
操作部材４は、回転体として機能するものであり、例えば、絶縁性の樹脂材料で成形され、円盤形状を有する大径部４０１と、この大径部４０１から下方側に突出して設けられた小径部４０２と、大径部４０１から上方側に突出して設けられた突出部４０３とを有している。後述するように、大径部４０１及び小径部４０２の内側には、回転部材６等を下方側から収容可能な収容部４０２ａ（図３参照）が形成されている。小径部４０２の外周面には、連続する凹部４０４ａと凸部４０４ｂとからなる凹凸部４０４が設けられている。この凹凸部４０４は、複数個（好ましくは偶数個）形成されており、後述する板ばね１０の係合部１００１が係脱可能に構成されている。突出部４０３は、概して円形状を有しており、その上面中央には、操作つまみ１００を固定するためのネジ１０１（図５参照）が挿入されるネジ穴４０５が設けられている。
【００２１】
回転押圧部材８は、例えば、絶縁性の樹脂材料で成形され、ケース２の側方側に向けて延在する軸部８０１と、この軸部８０１の中央近傍から上方側に延出して設けられた板状を有する当接片８０２と、軸部８０１の中央近傍から前方側に延出して設けられた板状を有する押圧片８０３とを有している。回転押圧部材８は、後述するケース２の軸収容部２０６に軸部８０１が収容されると共に、押圧片８０３を前方側に延出させた状態で第２収納部２０２の内部に配置されている。
【００２２】
可動接点板９は、導電性を有する金属製の薄板材料を概してドーム形状に加工することにより形成され、後述する第２収納部２０２の円形凹部２０５に収容される。可動接点板９は、回転押圧部材８の押圧片８０３の下方領域であって、その頂部が押圧片８０３の先端部近傍に対応する位置に配置されている。なお、これらの押圧片８０３と、可動接点板９との間には、可撓性があり消音効果（静音効果）を有する材料（例えば、ポリイミドからなるテープ）で構成される防塵シート１２が配設されている。この防塵シート１２は、その下面に形成された粘着面により可動接点板９及び第２収納部２０２の底面部に貼付されている。
【００２３】
一対の板ばね１０は、例えば、金属製の薄板材料に打ち抜き加工及び折り曲げ加工を施すことにより形成され、概して長尺形状を有している。これらの板ばね１０は、ケース２の前後方向に沿って配置され、後述するケース２のばね収納部２１８に収納されている。これらの板ばね１０は、それぞれ中央近傍に内側（操作部材４側）に突出して設けられた係合部１００１と、この係合部１００１が形成された部分から前後方向に延出して弾性を有する一対の腕部１００２ａ、１００２ｂとを備えている。ケース２のばね収納部２１８に収納された状態において、板ばね１０は、係合部１００１を操作部材４の小径部４０２（より具体的には小径部４０２の凹凸部４０４）に当接させた状態とされる。なお、この板ばね１０の詳細な構成については後述する。
【００２４】
カバー３は、例えば、金属製の薄板材料に打ち抜き加工及び折り曲げ加工を施すことにより形成され、高低差を有する２つの第１平面部３０１、第２平面部３０２を有している。これらの第１平面部３０１、第２平面部３０２は、概して矩形状を有しており、それぞれケース２の第１収納部２０１、第２収納部２０２に対応する位置に配置される。第１平面部３０１の中央には、円形状を有する開口部３０３が形成されている。この開口部３０３の寸法は、操作部材４の突出部４０３の外形寸法よりも大きく設定され、当該突出部４０３が挿通されてスライド移動可能に構成されている。また、第１平面部３０１の外縁部の所定位置には、後述するケース２の係合片２０４ａと係合する一対の枠部３０４が設けられている。さらに、第２平面部３０２の外縁部の所定位置には、ケース２側に垂下する複数の取付片３０５、３０６が設けられ、これらの取付片３０５、３０６には、後述するケース２の凹部２０４ｂ、２０４ｃと係合する係合片３０５ａ、３０６ａが設けられている。さらに、第１平面部３０１の枠部３０４の前方側には、取付片３０７が垂下して設けられている。この取付片３０７は、後述する端子部２２１、２３３と共に、回転型電気部品１が実装される不図示の回路基板に半田等により固定される部分である。
【００２５】
このような構成を有する回転型電気部品１を組み立てると、図２に示すように、各構成部品を収納した第１収納部２０１、第２収納部２０２を覆うようにカバー３がケース２に取り付けられる。この場合において、カバー３は、第１平面部３０１の開口部３０３から操作部材４の突出部４０３を露出させた状態で、一対の枠部３０４でケース２の係合片２０４ａを収容すると共に、取付片３０５、３０６の係合片３０５ａ、３０６ａをケース２の凹部２０４ｂ、２０４ｃに入り込ませることでケース２に固定された状態となっている。
【００２６】
このように組み立てられた回転型電気部品１の内部においては、図３に示すように、ケース２の第１収納部２０１の底面部に固定された支柱部１１に回転部材６が挿通されており、この回転部材６の下面に摺動部材７が固定される一方、その上面に継手部材５が載置されている。この場合において、摺動部材７の摺動子７０１は、第１収納部２０１の底面に設けられた導電パターン２２０に対して弾接した状態となっている。また、支柱部１１のヘッド部１１０２は、継手部材５の開口部５０３内に収容された状態となっており、その上方側に突出することはない。
【００２７】
また、操作部材４は、これらの回転部材６や継手部材５等を大径部４０１及び小径部４０２の内側の収容部４０２ａに収容した状態で第１収納部２０１に配設されている。ここで、操作部材４に収容される回転部材６や継手部材５等の状態について図４を用いて説明する。収容部４０２ａの内壁には、図４に示すように、継手部材５の第１対向辺部５０１と対向配置される被案内部としての一対の対向面部４０２ｂが設けられている。継手部材５が第１対向辺部５０１を例えば、前後方向等の一方向に向けた状態で回転部材６の凹部６０１に配置され、これらの第１対向辺部５０１が対向面部４０２ｂと対向配置されるように収容部４０２ａ内に回転部材６が収容される。このように継手部材５が収容されることで、継手部材５を介して操作部材４の回転動作を回転部材６に伝達することが可能となっている。また、操作部材４と回転部材６とは、継手部材５により、いわゆるオルダム結合されたものとなるので、操作部材４は回転部材６に対して、平行にスライド移動可能となっている。すなわち、継手部材５は、第２対向辺部５０２が回転部材６の凹部６０１に案内されることにより、第１の方向である一方側にスライド移動可能となっており、操作部材４は、対向面部４０２ｂが継手部材５の第１対向辺部５０１に案内されて、第１の方向と直交する第２の方向（他方側）にスライド移動できるように構成されている。
【００２８】
一方、第２収納部２０２の底面には、導電性を有する金属板からなり、固定接点２３０を構成する中央固定接点２３１と、周辺固定接点２３２とが設けられている。可動接点板９は、その周縁部が周辺固定接点２３２に常に接する一方、操作部材４が操作されていない状態（初期状態）において、頂部の裏面が中央固定接点２３１から離間するように配設されている。また、回転押圧部材８は、防塵シート１２を挟んで押圧片８０３を可動接点板９上に配置する一方、当接片８０２が操作部材４の大径部４０１の周面に当接するように配置されている。回転押圧部材８は、可動接点板９の復帰力により押圧片８０３が押し上げられ、当接片８０２が大径部４０１に付勢された状態とされている。
【００２９】
操作つまみ１００は、図２及び図３に示すようにカバー３の上方側に突出した操作部材４の突出部４０３に固定される。本実施の形態において、操作つまみ１００は、図５に示すように、突出部４０３に設けられたネジ穴４０５に対してネジ１０１により固定される。このように固定されることで、操作部材４は、この操作つまみ１００と一体的に回転し、或いは、操作部材４の回転軸線と直交状態で交差する方向にスライド移動するように構成されている。これにより、操作つまみ１００で回転型電気部品１に対する回転操作及び押圧操作を受け付けることができるものとなっている。
【００３０】
ここで、本実施の形態に係る回転型電気部品１が有するケース２の構成について説明する。図６及び図７は、それぞれ本実施の形態に係る回転型電気部品１が有するケース２の斜視図及び上面図である。本実施の形態に係るケース２においては、例えば、インサート成形により金属板で構成される導電パターン２２０や固定接点２３０がその底面部に埋設される。
【００３１】
図６及び図７に示すように、ケース２の第１収納部２０１の底面には、円環形状を有する凹部２０３が設けられており、この凹部２０３に沿って所定の間隔でその一部が露出するように導電性を有する金属板からなる導電パターン２２０が埋設されている。これらの導電パターン２２０には端子部２２１が接続されており、この端子部２２１は、ケース２の長手方向における側面部２０４から外部に導出されている。回転部材６の下面に固定された摺動部材７の摺動子７０１は、回転部材６の回転動作に伴って導電パターン２２０上を摺動可能に配置され、摺動子７０１の回転位置に応じた信号が端子部２２１から出力されるように構成されている。なお、このような導電パターン２２０と、これに摺接する摺動部材７とで回転体である操作部材４と回転部材６の回転動作を検出する回転検出手段が構成されている。
【００３２】
一方、ケース２の第２収納部２０２の底面には、円形状を有する凹部（以下、「円形凹部」という）２０５が設けられており、この円形凹部２０５の中央に一部が露出するように中央固定接点２３１が埋設されると共に、この中央固定接点２３１の周囲に一部が露出するように一対の周辺固定接点２３２が埋設されている。これらの中央固定接点２３１、周辺固定接点２３２には端子部２３３が接続されており、この端子部２３３は、ケース２の側面部２０４から外部に導出されている。可動接点板９は、これらの周辺固定接点２３２にその周縁部が接触する一方、その下面が中央固定接点２３１に離間した状態で配置されている。そして、操作部材４の押圧動作に伴って可動接点板９の下面が中央固定接点２３１に接触するように押圧され、当該接触の有無に応じた信号が端子部２３３から出力されるように構成されている。なお、このような固定接点２３０と、これに接離する可動接点板９とで操作部材４の回転軸線と直交状態で交差する方向への押圧動作を検出する押圧検出手段が構成されている。
【００３３】
第１収納部２０１と第２収納部２０２との間には、ケース２の短手方向における側面方向に沿って延在するように軸収容部２０６が設けられている。軸収容部２０６は、概して長方形状を有する凹部で構成され、回転押圧部材８の軸部８０１を収容可能な寸法に設けられている。この軸収容部２０６の後方側には、回転押圧部材８の当接片８０２が通過可能な連通部２０７が設けられている。回転押圧部材８は、軸部８０１が軸収容部２０６に収容された状態で、連通部２０７を介して当接片８０２が操作部材４の大径部４０１に当接し、操作部材４の押圧動作に応じてケース２の前後方向に揺動可能に配設されている。
【００３４】
第１収納部２０１において、連通部２０７の側方に配置される一対の壁面部２０８には、当該壁面部２０８よりも低い位置で僅かに後方側に突出する内壁面部２０９がそれぞれ設けられている。この内壁面部２０９は、連通部２０７の端部近傍から側面部２０４に向けて斜め後方側に延出する形状を有し、第１収納部２０１に収納された状態の操作部材４の小径部４０２の第２収納部２０２寄りにおける外周面と対向配置されている。内壁面部２０９の側面部２０４側の端部には、板ばね１０の腕部１００２ａの内側（操作部材４側）の一面を支持する第１支持部２１０と、腕部１００２ａの外側（側面部２０４側）の他面を支持する第２支持部２１１とが設けられている（図７参照）。そして、これらの第１支持部２１０と第２支持部２１１との間には、後述する腕部１００２ａの折り曲げ部１００３ａを収納する収納凹部２１２が設けられている。この場合において、第２支持部２１１は、側面部２０４に一体化して設けられている一方、第１支持部２１０は、側面部２０４から離間した位置で第２支持部２１１よりも後方側の位置に設けられている。
【００３５】
また、ケース２の後面部２１３の両側には、当該後面部２１３よりも低い位置で僅かに前方側に突出する内壁面部２１４がそれぞれ設けられている。この内壁面部２１４は、内壁面部２０９と同様に、後面部２１３の端部近傍から側面部２０４に向けて斜め前方側に延出する形状を有し、第１収納部２０１に収納された状態の操作部材４の小径部４０２の後方側寄りにおける外周面と対向配置されている。内壁面部２１４の側面部２０４側の端部には、板ばね１０の腕部１００２ｂの内側（操作部材４側）の一面を支持する第１支持部２１５と、腕部１００２ｂの外側（側面部２０４側）の他面を支持する第２支持部２１６とが設けられている（図７参照）。そして、これらの第１支持部２１５と第２支持部２１６との間には、後述する腕部１００２ｂの折り曲げ部１００３ｂを収納する収納凹部２１７が設けられている。この場合において、第２支持部２１６は、側面部２０４に一体化して設けられている一方、第１支持部２１５は、側面部２０４から離間した位置で第２支持部２１６よりも前方側の位置に設けられている。なお、収納凹部２１７の操作部材４の小径部４０２側の内壁には、僅かに第１支持部２１６側に突出する突出壁２１７ａが設けられている。
【００３６】
このようにケース２の一方の側面部２０４の近傍において、前方側に設けられた第１支持部２１０、第２支持部２１１及び収納凹部２１２と、後方側に設けられた第１支持部２１５、第２支持部２１６及び収納凹部２１７とで形成される空間でばね収納部２１８が構成されている。ばね収納部２１８は、第１収納部２０１の側面部２０４に沿ってケース２の前後方向、すなわち、操作部材４の押圧動作方向に延在するように一対設けられている。
【００３７】
なお、側面部２０４と後面部２１３との間の外壁面には、カバー３の枠部３０４に収容される一対の係合片２０４ａが設けられている。また、側面部２０４における前方側端部には、カバー３の係合片３０５ａを収容する凹部２０４ｂが設けられており、側面部２０４における端子２２１と端子２３３との間には、カバー３の係合片３０６ａを収容する凹部２０４ｃが設けられている。これらの係合片２０４ａ、凹部２０４ｂ、２０４ｃによりカバー３が所定位置に取り付けられるものとなっている。
【００３８】
次に、上述したケース２のばね収納部２１８に収納される板ばね１０の構成について説明する。図８（ａ）、（ｂ）は、それぞれ本実施の形態に係る回転型電気部品１が有する板ばね１０の斜視図、上面図である。なお、図８においては、一対の板ばね１０のうち、一方の板ばね１０（図１に示す奥側に配置される板ばね１０）について説明するが、他方の板ばね１０も同様の構成を有するものとする。
【００３９】
図８（ａ）に示すように、弾性を有する金属板からなる板ばね１０は、その中央部分に僅かに前後方向に延在し、操作部材４の小径部４０２側に突出する係合部１００１が設けられている。この係合部１００１は、後述するように操作部材４の小径部４０２の凹部４０４ａと略同一の形状を有している。また、板ばね１０は、係合部１００１の周辺から回転型電気部品１の前後方向に延出する一対の腕部１００２ａ、１００２ｂを有しており、これらの端部は、上下に二股に分岐した形状を有している。このような腕部１００２ａ、１００２ｂの端部のうち、下方側に配置される部分には、特に図８（ｂ）に示すように、先端部近傍に操作部材４側に略直角（Ｌ字状）に折り曲げられた折り曲げ部１００３ａ、１００３ｂが設けられている。一方、上方側に配置される部分には、後述する連結部材１００６と連結される連結部１００４ａ、１００４ｂが設けられている。これらの連結部１００４ａ、１００４ｂの上端部には、切断部１００５ａ、１００５ｂが形成されている。
【００４０】
ここで、連結部１００４ａ、１００４ｂに連結される連結部材１００６の構成について説明する。図９は、本実施の形態に係る回転型電気部品１が有する板ばね１０の製造過程の状態を示す斜視図である。図９に示すように、板ばね１０は、製造過程において、連結部１００４ａ、１００４ｂの上方に連結部材１００６が連結されている。連結部材１００６は、板ばね１０と同一の金属材料で構成されており、板ばね１０の上方で前後方向に延在する基部１００６ａと、この基部１００６ａの端部から下方に延出する一対の腕部１００６ｂ、１００６ｃとを有している。
【００４１】
一対の腕部１００６ｂ、１００６ｃの先端は、それぞれ連結部１００４ａ、１００４ｂの上端部（切断部１００５ａ、１００５ｂ）に連結されており、これらの間には、側面方向から切り込みが形成されている。この切り込みは、連結部材１００６と板ばね１０とを容易に分離するために設けられている。連結部材１００６は、板ばね１０をばね収納部２１８に収納する際に作業者等により把持される部分である。板ばね１０をばね収納部２１８に収納する際には、作業者等が連結部材１００６を把持し、ばね収納部２１８に板ばね１０を収納した後、側面方向に連結部材１００６を折り曲げることで、連結部材１００６を板ばね１０から分離可能となっている。このように連結部材１００６を板ばね１０の上方側に設けているので、ばね収納部２１８に対して板ばね１０を組み付ける際の作業効率を向上できるものとなっている。特に、板ばね１０の腕部１００２ａ、１００２ｂの先端には折り曲げ部１００３ａ、１００３ｂが設けられているので、ばね収納部２１８に組み付ける際に板ばね１０を倒れにくくすることができ、組立時における作業効率を更に向上できるものとなっている。
【００４２】
ところで、本実施の形態に係る回転型電気部品１においては、板ばね１０の係合部１００１における操作部材４の小径部４０２が有する凹凸部４０４との係脱によりクリック感触を発生させるが、そのクリック感触のバリエーションを、板ばね１０の交換により可能としている。例えば、板厚の異なる板ばね１０をばね収納部２１８に収納することにより異なるクリック感触を操作者に付与することが可能となっている。以下、図８に示す板ばね１０と異なる板ばね１０´の構成について説明する。
【００４３】
図１０（ａ）、（ｂ）は、それぞれ本実施の形態に係る回転型電気部品１に適用可能な他の板ばね１０´の斜視図、上面図である。なお、図１０において、図８に示す板ばね１０と共通する構成については同一の符号を付してその説明を省略する。図１０に示す板ばね１０´は、図８に示す板ばね１０よりも僅かに板厚が厚く形成されている（例えば、図８に示す板ばね１０が０．０８ｍｍであるのに対し、図１０に示す板ばね１０´は０．１ｍｍ）。なお、ケース２に設けられるばね収納部２１８は、このように回転型電気部品１に収納される板ばね１０のうち、最も板厚の厚い板ばね１０を収納可能な寸法に構成されている。
【００４４】
なお、この板ばね１０´においては、折り曲げ部１００３ａ、１００３ｂが短く設定されている点、並びに、係合部１００１が略円形状を有している点において図８に示す板ばね１０と相違する。これは、詳細について後述するように、図８に示す板ばね１０が静音性を確保するために操作部材４の回転に伴う板ばね１０の振動を抑制するのに対し、図１０に示す板ばね１０´がそのような静音性を考慮していないためである。すなわち、この板ばね１０´においては、図８に示す板ばね１０よりも強いクリック感触を付与すると共に、大きいクリック音を発生することが可能となっている。
【００４５】
図１１は、本実施の形態に係る回転型電気部品１のケース２のばね収納部２１８に板ばね１０を収納した状態の上面図である。なお、図１１においては、説明の便宜上、操作部材４及びカバー３を省略している。一対の板ばね１０は、図１１に示すように、第１収納部２０１に設けられた一対のばね収納部２１８に収納されている。板ばね１０は、腕部１００２ａ、１００２ｂの先端に設けられた折り曲げ部１００３ａ、１００３ｂを収納凹部２１２、２１７に収納した状態でこれらの収納凹部２１２、２１７間をケース２の前後方向（図１１の上下方向）に亘って配置されている。また、板ばね１０は、係合部１００１を第１収納部２０１の内部側に突出させた状態でばね収納部２１８に収納されている。この場合において、係合部１００１は、回転部材６の上方に配設される不図示の操作部材４の小径部４０２に設けられた凹凸部４０４に係脱可能な位置に配置されている。
【００４６】
次に、上記構成を有する回転型電気部品１の動作について説明する。本実施の形態に係る回転型電気部品１に取り付けられた操作つまみ１００に回転操作が加えられると、操作つまみ１００の回転に伴って操作部材４が回転する。操作部材４が回転すると、その下面に設けられた一対の対向面部４０２ｂが継手部材５の第１対向辺部５０１と当接して継手部材５が回転する。この継手部材５の回転に伴って、第２対向辺部５０２と凹部６０１を形成する対向した壁部とが係合して回転部材６が回転すると、その下面に固定された摺動部材７が一緒に回転する。この摺動部材７の回転に応じて複数の摺動子７０１が第１収納部２０１の底面に設けられた導電パターン２２０上を摺動し、摺動子７０１の位置に応じた信号が端子部２２１から出力される。本実施の形態に係る回転型電気部品１においては、この出力信号に応じて操作つまみ１００に対する回転操作及びその回転量が検出されることとなる。
【００４７】
また、本実施の形態に係る回転型電気部品１に取り付けられた操作つまみ１００に操作部材４の回転軸線と直交する方向である前方側（図３の左方側）への押圧操作が加えられた場合には、この押圧操作に応じた操作つまみ１００のスライド移動に伴って操作部材４が前方側にスライド移動する。この場合、操作部材４は、回転押圧部材８を介して伝達される可動接点板９の弾性力に抗して前方側にスライド移動し、軸部８０１の軸心を回転支点として回転押圧部材８を回転させる。回転押圧部材８が回転すると、押圧片８０３が可動接点板９の頂部に押し付けられ、可動接点板９を変形させる。そして、可動接点板９の下面が中央固定接点２３１に接触すると、当該接触に応じた信号が端子部２３３から出力される。本実施の形態に係る回転型電気部品１においては、この出力信号に応じて操作つまみ１００に対する押圧操作が検出されることとなる。
【００４８】
上述したように、本実施の形態に係る回転型電気部品１においては、操作部材４の回転動作時に板ばね１０の係合部１００１を小径部４０２の凹凸部４０４に係脱させてクリック感触を発生させている。ここで、操作部材４の回転動作に伴う板ばね１０の状態について説明する。図１２及び図１３は、本実施の形態に係る回転型電気部品１が有する操作部材４の回転動作時における板ばね１０の状態を説明するための拡大図である。なお、図１２及び図１３においては、説明の便宜上、操作部材４及びカバー３を省略している。また、図１２においては、板ばね１０の係合部１００１が不図示の操作部材４の小径部４０２の凹部４０４ａに係合した状態について示し、図１３においては、板ばね１０の係合部１００１が不図示の操作部材４の小径部４０２の凸部４０４ｂに係合した状態について示している。
【００４９】
ばね収納部２１８に収納された状態において、板ばね１０は、係合部１００１が突出する一面側が不図示の操作部材４の凹凸部４０４に対向して配設されている。この場合、板ばね１０は、図１２に示すように、一方の腕部１００２ａの先端部近傍の他面側部分（側面部２０４側の部分）を第２支持部２１１に支持されると共に、先端部よりも僅かに係合部１００１寄りの部分における一面側部分（操作部材４側の部分）を第１支持部２１０に支持されている。一方、板ばね１０は、他方の腕部１００２ｂの先端部近傍の他面側部分（側面部２０４側の部分）を第２支持部２１６に支持されると共に、先端部よりも僅かに係合部１００１寄りの部分における一面側部分（操作部材４側の部分）を第１支持部２１５に支持されている。すなわち、板ばね１０は、図１２におけるケース２の上下方向にずれた互いに対向しない位置でその一面側の一部と、他面側の一部とを支持された状態で保持されている。換言すれば、板ばね１０は、腕部１００２ａ、１００２ｂの先端部よりも係合部１００１に近い内側の位置で一面側が一対の第１支持部２１０、２１５によって支持されている。また、板ばね１０の他面側は、第１支持部２１０、２１５よりも係合部１００１から離れた腕部１００２ａ、１００２ｂの外側の位置に対応して設けられた一対の第２支持部２１１、２１６によって支持されるものとなっている。
【００５０】
図１２に示すように、板ばね１０の係合部１００１が小径部４０２の凹部４０４ａに係合している場合には、係合部１００１が凹部４０４ａに入り込んでおり、板ばね１０にはほとんど負荷が加わっていない状態となっている。この場合、板ばね１０は、ケース２の側面部２０４と平行に延在しており、腕部１００２ａ、１００２ｂに設けられた折り曲げ部１００３ａ、１００３ｂの先端が、それぞれ収納凹部２１２の内壁、収納凹部２１７の突出壁２１７ａの内壁から離間した状態となっている。
【００５１】
一方、板ばね１０の係合部１００１が小径部４０２の凸部４０４ｂに係合している場合には、係合部１００１が凸部４０４ｂにより外側（側面部２０４側）方向に押し出され、板ばね１０に負荷が増して加わった状態となっている。この場合、板ばね１０は、図１３に示すように、係合部１００１の周辺が外側方向に撓んだ状態となっており、腕部１００２ａ、１００２ｂに設けられた折り曲げ部１００３ａ、１００３ｂの先端が、それぞれ収納凹部２１２の内壁、収納凹部２１７の突出壁２１７ａの内壁に当接した状態となっている。
【００５２】
このように係合部１００１が凸部４０４ｂに係合する際、折り曲げ部１００３ａ、１００３ｂの先端をそれぞれ収納凹部２１２の内壁、収納凹部２１７の突出壁２１７ａの内壁に当接させることにより、板ばね１０の変形に伴う振動を抑制でき、操作部材４の回転動作に伴って発生する音を低減することが可能となっている。これにより、回転動作に伴って発生する雑音等を低減でき、静音性に優れた回転型電気部品１を提供することが可能となる。
【００５３】
なお、本実施の形態に係る回転型電気部品１においては、操作部材４の回転動作に伴って発生する音を低減するという観点から、板ばね１０の係合部１００１の形状を決定している。すなわち、板ばね１０の係合部１００１は、操作部材４の小径部４０２の凹部４０４ａに対応する形状に設定されている。このような形状とすることにより、係合部１００１が凸部４０４ｂを越えて凹部４０４ａに到達した場合に係合部１００１が凹部４０４ａに嵌り込ませることができ、係合部１００１と凹部４０４ａとの接触に伴って発生する音を低減することが可能となる。
【００５４】
このように本実施の形態に係る回転型電気部品１においては、板ばね１０の腕部１００２ａ、１００２ｂが、ケース２の互いに対向しない位置に設けられた第１支持部２１０、２１５と、第２支持部２１１、２１６との間に保持されることから、板ばね１０の板厚に応じて対向する壁面部を有するばね収納部をケース２に形成する必要がないので、極めて厳格な精度で金型を製作する必要がなく、金型製作に要する費用の上昇を抑制することができる。これにより、金型費用に起因する製造コストを上昇させることなく、ケース２内に配設される板ばね１０を保持することが可能となる。
【００５５】
また、本実施の形態に係る回転型電気部品１においては、回転体である操作部材４の外周に設けられた凹凸部４０４と対向する板ばね１０の一面側に配置された第１支持部２１０、２１５により係合部１００１に近い腕部１００２ａ、１００２ｂの内側の位置を支持する一方、他面側に配置された第２支持部２１１、２１６により腕部１００２ａ、１００２ｂの先端部近傍である外側の位置を支持していることから、操作部材４の小径部４０２の凹凸部４０４と係脱する係合部１００１の動作を妨げることなく板ばね１０を保持することができるので、操作部材４の回転動作に伴って良好なクリック感触を付与することが可能となる。
【００５６】
さらに、本実施の形態に係る回転型電気部品１においては、操作部材４の回転軸線と直交状態で交差する方向への押圧操作に応じた操作部材４の押圧動作を検出する押圧検出手段を固定接点２３０及び可動接点板９で構成すると共に、一対の板ばね１０を操作部材４の押圧動作方向に沿って配置させている。このように操作部材４の小径部４０２の凹凸部４０４との係脱によりクリック感触を付与する板ばね１０を一対備えているので、操作部材４の回転動作に伴って安定したクリック感触を付与することが可能となる。また、これらの一対の板ばね１０を操作部材４の押圧動作方向に沿って配置させているので、操作部材４の押圧動作時におけるバランスを確保することが可能となる。
【００５７】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。
【００５８】
例えば、上記実施の形態においては、ケース２から外部に導出された端子部２２１、２３３及びカバー３の取付片３０７を不図示の回路基板に半田等により固定する表面実装タイプの回転型電気部品１について説明しているが、回路基板に対する回転型電気部品１の実装の態様については、これに限定されるものではなく適宜変更が可能である。例えば、実装対象となる回路基板に回転型電気部品１を収容可能な切り欠きを形成しておき、当該切り欠きの周囲に形成した固定溝部に差し込まれる差し込み片を有するブラケットを介して実装するようにしても良い。
【００５９】
図１４及び図１５は、それぞれ本実施の形態の変形例に係る回転型電気部品１´の分解斜視図及び上面図である。なお、図１４及び図１５においては、上述した回転型電気部品１と共通する構成部材について同一の符号を付し、その説明を省略する。また、図１５においては、説明の便宜上、操作部材４及びカバー３を省略している。なお、図１４及び図１５に示す回転型電気部品１´においては、図１０に示す板ばね１０´をケース２に収納する場合について示している。
【００６０】
図１４及び図１５に示す回転型電気部品１´においては、実装対象となる回路基板に形成された固定溝部に差し込まれる差し込み片を有するブラケット１３を備え、回転型電気部品１´を収容可能な切り欠きに実装される点で上述した回転型電気部品１と相違する。また、このようなブラケット１３を介して回路基板に固定されるために、ケース２及びカバー３の一部の態様が変更されている。具体的には、カバー３に取付片３０７が形成されていない点、並びに、ケース２の側面部２０４に端子部２２１、２３３を保護する保護板部２０４ｄ、２０４ｅが形成されている点で上述した回転型電気部品１と相違する。その他の点は、上述した回転型電気部品１と共通する構成を有している。
【００６１】
ブラケット１３は、例えば、金属製の薄板材料に打ち抜き加工及び折り曲げ加工を施すことにより形成され、概して平板形状を有している。ブラケット１３の側方側の外縁部には、前後方向に離間してそれぞれ一対の差し込み片１３０１、１３０２が設けられている。図１４及び図１５に示す回転型電気部品１´においては、ブラケット１３がケース２の下方側に配置されており、実装対象となる不図示の回路基板への実装は、上方側に向けて行われるものとする。このため、差し込み片１３０１、１３０２は、ケース２の側面部２０４よりも外側の位置で上方側に向けて延出している。なお、差し込み片１３０１、１３０２の延出方向は、これに限定されるものではなく、回路基板への実装態様に応じて下方側に延出するようにしても良い。
【００６２】
また、ブラケット１３の所定位置には、ケース２の下面に設けられた複数の突起（不図示）が挿通される複数の挿通孔１３０３が形成されている。ケース２の突起をこれらの挿通孔１３０３に挿通させた後、その先端部をかしめることなどによりブラケット１３に対してケース２が固定されるようになっている。この回転型電気部品１´においては、各構成部材を内部に収納した状態でカバー３が取り付けられたケース２がブラケット１３に固定され、このブラケット１３を介して回路基板に固定されるものとなっている。
【００６３】
なお、この回転型電気部品１´のケース２には、上述した板ばね１０よりも板厚の厚い板ばね１０´が収納されている（図１０参照）。ここで、この回転型電気部品１´における操作部材４の回転動作に伴う板ばね１０´の状態について説明する。図１６及び図１７は、本実施の形態の変形例に係る回転型電気部品１´が有する操作部材４の回転動作時における板ばね１０´の状態を説明するための拡大図である。なお、図１６及び図１７においては、説明の便宜上、操作部材４及びカバー３を省略している。また、図１６においては、板ばね１０´の係合部１００１が不図示の操作部材４の小径部４０２の凹部４０４ａに係合した状態について示し、図１７においては、板ばね１０´の係合部１００１が不図示の操作部材４の小径部４０２の凹部４０４ａに係合した状態について示している。
【００６４】
ばね収納部２１８に収納された状態において、板ばね１０´は、係合部１００１が突出する一面側が、操作部材４の凹凸部４０４と対向して配設されている。この場合、板ばね１０´は、図１６に示すように、一方の腕部１００２ａの先端部近傍の他面側部分（側面部２０４側の部分）を第２支持部２１１に支持されると共に、先端部よりも僅かに係合部１００１寄りの部分における一面側部分（操作部材４側の部分）を第１支持部２１０に支持されている。一方、板ばね１０´は、他方の腕部１００２ｂの先端部近傍の他面側部分（側面部２０４側の部分）を第２支持部２１６に支持されると共に、先端部よりも僅かに係合部１００１寄りの部分における一面側部分（操作部材４側の部分）を第１支持部２１５に支持されている。すなわち、板ばね１０´は、図１６におけるケース２の上下方向にずれた互いに異なる位置でその一面側の一部と、他面側の一部とを支持された状態で保持されている。
【００６５】
図１６に示すように、板ばね１０´の係合部１００１が小径部４０２の凹部４０４ａに係合している場合には、係合部１００１が凹部４０４ａに入り込んでおり、板ばね１０´には負荷がほとんど加わっていない状態となっている。この場合、板ばね１０´は、ケース２の側面部２０４と平行に延在しており、腕部１００２ａ、１００２ｂに設けられた折り曲げ部１００３ａ、１００３ｂの先端が、それぞれ収納凹部２１２の内壁、収納凹部２１７の突出壁２１７ａの内壁から離間した状態となっている。特に、板ばね１０´における折り曲げ部１００３ａ、１００３ｂは、上述した板ばね１０のそれよりも短く形成されているため、それぞれ収納凹部２１２の内壁、収納凹部２１７の突出壁２１７ａの内壁から離間する距離が長くなっている。
【００６６】
一方、板ばね１０´の係合部１００１が小径部４０２の凸部４０４ｂに係合している場合には、係合部１００１が凸部４０４ｂにより外側（側面部２０４側）方向に押し出され、板ばね１０´に大きな負荷が加わった状態となっている。この場合、板ばね１０´は、図１７に示すように、係合部１００１の周辺が外側方向に撓んだ状態となっており、腕部１００２ａ、１００２ｂに設けられた折り曲げ部１００３ａ、１００３ｂの先端が、それぞれ収納凹部２１２の内壁、収納凹部２１７の突出壁２１７ａの内壁に接近した状態となっている。
【００６７】
図１３に示す板ばね１０の状態と異なり、板ばね１０´においては、折り曲げ部１００３ａ、１００３ｂの先端をそれぞれ収納凹部２１２の内壁、収納凹部２１７の突出壁２１７ａの内壁に接近させるが、当接させていない。このため、上述した板ばね１０のように、板ばね１０´の変形に伴う振動が抑制されることはなく解放された状態となることから、より明瞭なクリック感触を付与することが可能となる。
【００６８】
なお、上述した実施の形態及び変形例においては、板ばね１０（１０´）を一対設けたもので説明したが、本発明はこれに限定されるものではない。例えば、操作部材４が回転軸線と直交する方向へ押圧されない形態の場合には、クリック感触を得るための板ばねを１つとしても良い。また、係合部１００１を板ばね１０とは別部材の例えば鋼球で形成することも可能である。
【図面の簡単な説明】
【００６９】
【図１】本発明の一実施の形態に係る回転型電気部品の分解斜視図である。
【図２】上記実施の形態に係る回転型電気部品の外観を示す斜視図である。
【図３】図２に示す一点鎖線における断面図である。
【図４】上記実施の形態に係る回転型電気部品の一部の構成部品を下方側から示す分解斜視図である。
【図５】上記実施の形態に係る回転型電気部品に操作つまみが取り付けられた状態の外観を示す斜視図である。
【図６】上記実施の形態に係る回転型電気部品が有するケースの斜視図である。
【図７】上記実施の形態に係る回転型電気部品が有するケースの上面図である。
【図８】上記実施の形態に係る回転型電気部品が有する板ばねの斜視図（ａ）、上面図（ｂ）である。
【図９】上記実施の形態に係る回転型電気部品が有する板ばねの製造過程の状態を示す斜視図である。
【図１０】上記実施の形態に係る回転型電気部品に適用可能な他の板ばねの斜視図（ａ）、上面図（ｂ）である。
【図１１】上記実施の形態に係る回転型電気部品のケースのばね収納部に板ばねを収納した状態の上面図である。
【図１２】上記実施の形態に係る回転型電気部品が有する操作部材の回転動作時における板ばねの状態を説明するための拡大図である。
【図１３】上記実施の形態に係る回転型電気部品が有する操作部材の回転動作時における板ばねの状態を説明するための拡大図である。
【図１４】上記実施の形態の変形例に係る回転型電気部品の分解斜視図である。
【図１５】上記実施の形態の変形例に係る回転型電気部品の上面図である。
【図１６】上記実施の形態の変形例に係る回転型電気部品が有する操作部材の回転動作時における板ばねの状態を説明するための拡大図である。
【図１７】上記実施の形態の変形例に係る回転型電気部品が有する操作部材の回転動作時における板ばねの状態を説明するための拡大図である。
【符号の説明】
【００７０】
１、１´  回転型電気部品
２  ケース
２０１  第１収納部
２０２  第２収納部
２０３  凹部
２０４  側面部
２０４ａ  係合片
２０４ｂ、２０４ｃ  凹部
２０５  円形凹部
２０６  軸収容部
２０７  連通部
２０８  壁面部
２０９  内壁面部
２１０、２１５  第１支持部
２１１、２１６  第２支持部
２１２、２１７  収納凹部
２１３  後面部
２１４  内壁面部
２１７ａ  突出壁
２１８  ばね収納部
２２０  導電パターン
２２１  端子部
２３０  固定接点
２３１  中央固定接点
２３２  周辺固定接点
２３３  端子部
３  カバー
３０１  第１平面部
３０２  第２平面部
３０３  開口部
３０４  枠部
３０５〜３０７  取付片
４  操作部材（回転体）
４０１  大径部
４０２  小径部
４０２ａ  収容部
４０２ｂ  対向面部
４０３  突出部
４０４  凹凸部
４０４ａ  凹部
４０４ｂ  凸部
４０５  ネジ穴
５  継手部材
５０１  第１対向辺部
５０２  第２対向辺部
５０３  開口部
６  回転部材
６０１  凹部
６０２  突起
６０３  貫通孔
７  摺動部材
７０１  摺動子
７０２  挿通孔
７０３  孔
８  回転押圧部材
８０１  軸部
８０２  当接片
８０３  押圧片
９  可動接点板
１０、１０´  板ばね
１００１  係合部
１００２ａ、１００２ｂ  腕部
１００３ａ、１００３ｂ  折り曲げ部
１００４ａ、１００４ｂ  連結部
１００５ａ、１００５ｂ  切断部
１１  支柱部
１１０１  胴体部
１１０２  ヘッド部
１２  防塵シート
１００  操作つまみ
１０１  ネジ
【図１】
2010153503.tif 000003
【図２】
2010153503.tif 000004
【図３】
2010153503.tif 000005
【図４】
2010153503.tif 000006
【図５】
2010153503.tif 000007
【図６】
2010153503.tif 000008
【図７】
2010153503.tif 000009
【図８】
2010153503.tif 000010
【図９】
2010153503.tif 000011
【図１０】
2010153503.tif 000012
【図１１】
2010153503.tif 000013
【図１２】
2010153503.tif 000014
【図１３】
2010153503.tif 000015
【図１４】
2010153503.tif 000016
【図１５】
2010153503.tif 000017
【図１６】
2010153503.tif 000018
【図１７】
2010153503.tif 000019